(57)【特許請求の範囲】
【請求項１】
方形の底板および前記方形の底板の外縁に連接された４つの側板をもつコンテナー成形体と、Ｌ字状の結合具より構成され、立ち上がらせた前記各側板で形成する角枠の角部に、前記Ｌ字状の結合具におけるＬ字状の嵌合溝を嵌合して隣接する側板同士を結合し、上面開口の容器として構成した簡易コンテナーであって、前記側板は、その両側部の突き合わせ部をＶ字形のカット部により形成し、上方に向け９５°以上で拡がるように傾斜可能に設けるとともに、隣接する側板同士を結合具で結合させたときには方形の底板に直立し、結合具を外したときには各側板が傾斜した姿勢に戻る構成とし、更に、前記側板は上部の両端に膨出部を有し、前記結合具は、その嵌合溝を各側板で形成する角枠の角部へ嵌合して装着したときに、前記膨出部の下部に係合するフックをもつストッパー片を有することを特徴とする簡易コンテナー。
【請求項２】
相対する２つの側板は、外面の中央部に把手用の凹部を有することを特徴とする請求項１記載の簡易コンテナー。
【請求項３】
底板は、下面の４隅に、外縁に沿うほぼＬ字形の積み重ね位置決め用の凸部を有することを特徴とする請求項１記載の簡易コンテナー。
【請求項４】
コンテナー成形体は、樹脂材と紙材の混合材よりなる再生ボードのプレス成形体であることを特徴とする請求項１記載の簡易コンテナー。
【発明の詳細な説明】
【０００１】
【発明の属する技術分野】
本発明は、モーターや電気・機械部品等の産業機器製品、あるいは陶器、ガラス製品等を収納して運搬、輸送、保管等に供する組立式の簡易コンテナーに関する。
【０００２】
【従来の技術】
一般に、モーターや電気・機械部品に限らず、物品を収納して輸送、保管するのに、合成樹脂材料を射出成型して形成された簡易コンテナーが用いられている。
【０００３】
また、最近は低コストな段ボールシートを樹脂製の結合具で結合して容器化した簡易コンテナーも見受けられる。
【０００４】
ところで、簡易コンテナーとしては、物品を収納しても多段に積み重ねる（以下、スタッキングという）ことができるとともに、物品を取り出して空になったとき、すなわち、不使用時に嵩張らないように背を低くできる（以下、ネスティングという）ことが望まれている。この種の簡易コンテナーとしては、実開平用４−１００１５号公報、その他によって良く知られている。
【０００５】
以下、従来の簡易コンテナーを図面をもとに説明する。
【０００６】
図９は、従来の簡易コンテナーの斜視図、図１０は、同簡易コンテナーをネスティングした状態の側面図、図１１は、同簡易コンテナーをスタッキングした状態の側面図である。
【０００７】
図９に示すように、コンテナー成形体は合成樹脂材を射出成型によって上面に開口をもつ容器として構成され、そして、その４つの側板２、３、４、５は、方形の底板１の外縁より上方に向かい徐々に開口が拡がるようにテーパーをもって立ち上がっている。このコンテナー成形体の開口縁には、連続したフランジ部６が一体に連接され、かつ、外方向に突出している。また、側板２と３には膨出部７、８、９、１０が対称に形成され、その内側の凹部が開口縁に連なるようにしている。さらに、側板２、３の外面における膨出部７、８、９、１０の側部から下部にかけて、段差を有する支脚部１１、１２を形成している。これらの支脚部１１、１２は異なる形状、すなわち、支脚部１２の方が支脚部１１の幅より幅広に形成されている。しかも、図１０に示すように下段の成形体１３に対して上段のコンテナー成形体１４を１８０°回転させることで、上段のコンテナー成形体１３の支脚部１１Ａ、１２Ａが下段のコンテナー成形体１３の膨出部７、８の内側の凹部に嵌入する位置、サイズで設定されている。
【０００８】
したがって、図１０のように上段のコンテナー成形体１４の下半分を下段のコンテナー成形体１３に嵌入し、支脚部１１Ａ、１２Ａがフランジ部６に支持されネスティングできる。前記ネスティング時の高さ寸法は、約１／２Ｈに設定されている。なお、スタッキング時は、図１１に示したように下段のコンテナー成形体１３のフランジ部６に上段のコンテナー成形体１４が支持される。
【０００９】
【発明が解決しようとする課題】
しかしながら、上記実開平４−１００１５号公報記載のものを含め、一般の簡易コンテナーでは、物品を取り出した不使用時のコンテナー成形体を嵩張らないように保管するには、コンテナー成形体を常に１８０°回転しなければならないことや、ネスティング時の寸法が、スタッキング時の約１／２しかならないため、保管スペースや遠距離からのコンテナー成形体の回収運賃が５０％までは低減できるが、それ以上は困難であること、さらには、こうしたコンテナー成形体は合成樹脂材を射出成型して形成するため、金型製作費用が非常に高く、また、物品に合わせた寸法のコンテナー成形体にすると、その金型起しは型費償却ができない等々の問題を有していた。
【００１０】
本発明は前記従来の問題に留意し、スタッキングとネスティングができるとともに、ネスティング時のサイズを小さくし、さらに金型費を低減できる簡易コンテナーを提供することを目的とする。
【００１１】
【課題を解決するための手段】
前記目的を達成するため、本発明の簡易コンテナーは、方形の底板に４つの側板を連接してコンテナー成形体を形成し、前記各側板を立ち上がらせて形成する角枠の角部に、Ｌ字状の結合具の嵌合溝を嵌合して隣接する側板同士を結合し、上面が開口した容器状の簡易コンテナーとしたものである。
【００１２】
本発明によれば、簡易コンテナーを簡単に組立てでき、結合具を外すことにより側板が弾力で外側に拡がり元に戻り、非常に効率の良いネスティングが可能となる。
【００１３】
【発明の実施の形態】
本発明の請求項１に記載の発明は、方形の底板および前記方形の底板の外縁に連接された４つの側板をもつコンテナー成形体と、Ｌ字状の結合具より構成され、立ち上がらせた前記各側板で形成する角枠の角部に、前記Ｌ字状の結合具におけるＬ字状の嵌合溝を嵌合して隣接する側板同士を結合し、上面開口の容器として構成した簡易コンテナーである。前記側板は、その両側部の突き合わせ部をＶ字形のカット部により形成し、上方に向け９５°以上で拡がるように傾斜可能に設け、隣接する側板同士を結合具で結合させたときには方形の底板に直立し、結合具を外したときには各側板が傾斜した姿勢に戻る構成とした。更に、前記側板は上部の両端に膨出部を有し、前記結合具は、その嵌合溝を各側板で形成する角枠の角部へ嵌合して装着したときに、前記膨出部の下部に係合するフックをもつストッパー片を有する構成とした。したがって、物品を収納し積み重ねたときには、積載荷重が垂直に結合具を介し下段の簡易コンテナーに加わり、安定したスタッキングができ、不使用時には結合具を外すことにより、側板が反力で外側に開き、コンパクトにネスティングできるという作用を有する。また、結合具を確実に取付できるという作用を有する。これにより、荷扱いはもちろん、輸送、保管、多数の積み重ねも可能となるという作用を有する。
【００１７】
本発明の請求項２に記載の発明は、請求項１に記載の簡易コンテナーにおいて、相対する２つの側板は、外面の中央部に把手用の凹部を有する構成としたものであり、簡易コンテナーを滑らなく持ち運ぶことができるという作用を有する。
【００１８】
本発明の請求項３に記載の発明は、請求項１に記載の簡易コンテナーにおいて、底板は、下面の４隅に、外縁に沿うほぼＬ字形の積み重ね位置決め用の凸部を有する構成としたものであり、スタッキング時の上段の簡易コンテナーの位置規制により正確な積み重ねができ、輸送中のズレ防止ができるとともに、積み重ねたときの荷重を結合具で側板へ分散させ、耐圧強度を保持できるという作用を有する。
【００１９】
本発明の請求項４に記載の発明は、請求項１に記載の簡易コンテナーにおいて、コンテナー成形体は、樹脂材と紙材の混合材よりなる再生ボードのプレス成形体としたものであり、射出成型の金型の比較し非常に金型代が安く、かつ、原料も安いため、低価格につくれる作用を有する。
【００２０】
以下、本発明の実施の形態を図面を参照して説明する。
【００２１】
（実施の形態１）
図１は、本発明の実施の形態１の簡易コンテナーの結合具を未装着状態の斜視図、図２は、同簡易コンテナーの側面図、４隅をＶ字形にカットしたし形成した成形体の斜視図、図３は、同簡易コンテナーにおける装着前における結合具の斜視図、図４は、同簡易コンテナーにおけるストッパー片装着後における結合具の斜視図、図５は、同簡易コンテナーの結合具装着部分の断面図、図６は、同結合具を装着した簡易コンテナーの斜視図、図７は、同簡易コンテナーをスタッキングした状態の側面図、図８は、同簡易コンテナーをネスティングした状態の斜視図である。なお、前記従来の技術と同じ構成部には、同一符号を付与する。
【００２２】
この実施の形態１の簡易コンテナーは、図１および図２に示すように、合成樹脂材を成型して形成される上面開口の容器状のコンテナー成形体２１を主体としている。このコンテナー成形体２１の底板２２は方形で、その下面の４隅に外縁に沿った重ね位置決め用のＬ字状の凸部２３を形成している。前記底板２２の外縁部には、側板２６、２７、２８、２９を、その立ち上がり角度を任意に変えることができるように連接してある。この側板２６、２７、２８、２９の側辺の突き合わせ部は、Ｖ字形のカット部３１で形成されている。そして、この側板２６、２７、２８、２９で形成する角枠が上方に向け徐々に拡がるようにしている。また、この側板２６、２７、２８、２９の上部両端には、膨出部２４、２５を対称に形成している。
【００２３】
前記底板２２の重ね位置決め用のＬ字状の凸部２３は、図２に示すように１５〜３０ｍｍの高さとし、側板２６、２７、２８、２９は外側に９５°以上で拡がるようにしている。また、側板２６、２７、２８、２９の内、相対する短辺の側板２６、２８には、その中央部の外面に把手用の凹部３０を形成している。
【００２４】
前記側板２６、２７、２８、２９の側辺を突き合わせて形成される角枠の隅部は、図６に示す結合具３２で結合されるようになっている。前記結合具３２は、図３および図４に示すように全体としてＬ字状に形成され、上片と外側片と内側片とで形成されるＬ字状の嵌合溝３３を有している。そして、前記外側片には切り欠き部を設け、この欠き部に嵌まり合い、上部をヒンジ部３４で連結されて外開き自在なストッパー片３５を設けている。さらに、前記ストッパー片３５は、その内側の下部に、側板２６、２７、２８、２９における膨出部２４、２５の下部３９に係合自在な２個のフック３６を有するとともに、両側部に係止用舌片３７を有している。一方、結合具３２の外片の切り欠きの側辺には、前記係止用舌片３７が係止自在な係止部３８を設けている。
【００２５】
上記構成の簡易コンテナーにおいて、図１に示すようにコンテナー成形体２１の４つの側板２６、２７、２８、２９を９０°立ち上げて垂直とし、側板２６、２７、２８、２９の隣接したものの側辺を突き合わせて形成される角枠の角部に、Ｌ字状に形成された結合具３２を、その嵌合溝３３を嵌め合わせて装着する。このとき、図３に示す状態にある結合具３２のストッパー片３５を切り欠き方向に押圧することにより、ストッパー片３５の内側にあるフック３６が、図５に示すように側板２６、２７、２８、２９における膨出部２４、２５の下部３９に係合し、結合具３２が側板２６、２７、２８、２９より上方に抜け出ないようにする。また、ストッパー片３５の両側の係止用舌片３７が、結合具３２の切り欠き部の係止部３８に係止し、ストッパー片３５が開かないようにロックする。こうして図６に示すように、コンテナー成形体２１の４つの側板２６〜２９が上面開口で、かつ、上方に開口が次第に拡がる形状の容器を構成するように組み立てられる。
【００２６】
上記のように結合具３２を取付けて組み立てられた簡易コンテナーは、図７に示すようにスタッキングできる。すなわち、上段のコンテナー成形体２１Ａにおける底板２２の重ね位置決め用のＬ字状の凸部２３が、下段のコンテナー成形体２１Ｂの４箇所の結合具３２の内側に係合させるとともに、上段のコンテナー成形体２１Ａにおける底板２２の縁を下段のコンテナー成形体２１Ｂの４箇所の結合具３２の上に載せることにより、上段のコンテナー成形体２１Ａを下段のコンテナー成形体２１Ｂにズレることなく積み重ねできる。
【００２７】
また、前記の簡易コンテナーは、図８に示すようにネスティングすることができる。すなわち、コンテナー成形体２１の側板２６〜２９を固定する結合具３２を外す。
【００２８】
ここでコンテナー成形体２１の側板２６〜２９は、反力より元の傾斜した形に戻るため、多数のコンテナー成形体２１を図８のように低い寸法で積み重ねすることができる。
【００２９】
【発明の効果】
以上の説明より明らかなように、本発明の簡易コンテナーは、上段の簡易コンテナーを下段の簡易コンテナーに対しそのままスタッキングできるとともに、結合具を外すと側板が傾斜して開いたものとして転換され、約２０ｍｍピッチで積み重ねでき、非常にコンパクトにネスティングできる。したがって、空の簡易コンテナーの保管スペースがスタッキング時の１／５以下になること、また、空の簡易コンテナーの返却輸送運賃が大幅に低減できること、さらには、簡易コンテナーをプレス成型にて形成できることから、従来の射出成型コンテナーに比べて金型費が半分以下にできて非常に安価に製造できること、また、簡易コンテナーの底面が平面であり、種々の物品を収納でき多用途に使用可能である等の効果を有する。
【図面の簡単な説明】
【図１】本発明の実施の形態１の簡易コンテナーの結合具を未装着状態の斜視図
【図２】同簡易コンテナーの側面図
【図３】同簡易コンテナーにおける装着前における結合具の斜視図
【図４】同簡易コンテナーにおけるストッパー片装着後における結合具の斜視図
【図５】同簡易コンテナーの結合部装着部分の断面図
【図６】同結合具を装着した簡易コンテナーの斜視図
【図７】同簡易コンテナーをスタッキングした状態の側面図
【図８】同簡易コンテナーをネスティングした状態の斜視図
【図９】従来の簡易コンテナーの斜視図
【図１０】同簡易コンテナーをネスティングした状態の側面図
【図１１】同簡易コンテナーをスタッキングした状態の側面図
【符号の説明】
２１  コンテナー成形体
２２  底板
２３  重ね位置決め用のＬ字状の凸部
２４  膨出部
２５  膨出部
２６  側板
２７  側板
２８  側板
２９  側板
３０  把手用の凹部
３１  Ｖ字状のカット部
３２  結合具
３３  嵌合溝
３４  ヒンジ部
３５  ストッパー片
３６  フック
３７  係止用舌片
３８  係止部
３９  膨出部の下部
【図１】
0004320820.tif 000002
【図２】
0004320820.tif 000003
【図３】
0004320820.tif 000004
【図４】
0004320820.tif 000005
【図５】
0004320820.tif 000006
【図６】
0004320820.tif 000007
【図７】
0004320820.tif 000008
【図８】
0004320820.tif 000009
【図９】
0004320820.tif 000010
【図１０】
0004320820.tif 000011
【図１１】
0004320820.tif 000012